(57)【特許請求の範囲】
【請求項１】
カメラ本体に、第１支持部において枢支された第１のアームと、
前記第１のアームの端部に、前記第１支持部とは異なる第２支持部において回動自在に連結された連結部材と、
前記連結部材において、前記第２支持部とは異なる第３支持部において回動自在に連結され、発光部を有する発光ユニットとを備え、
前記第１のアームと前記連結部材と前記発光ユニットとを前記カメラ本体の収納凹部に収納した状態において、前記第１のアームと前記発光ユニットが相互に対向した状態になり、前記発光部が前記第１支持部に近接し、
前記カメラ本体に、前記第１支持部とは異なる第４支持部において枢支された第２のアームを備え、前記第２のアームの端部は前記第３支持部に連結され、
前記第３支持部にバネが設けられ、前記バネの一方の端部が前記発光ユニットに係止するとともに、前記バネの他方の端部が前記第２のアームに係止し、前記発光ユニットと前記第２のアームは、成す角が１８０度に近づく方向に付勢される
ことを特徴とする発光装置の支持機構。
【請求項２】
前記第１および第２のアームと前記連結部材と前記発光ユニットとを前記カメラ本体の収納凹部に収納した状態において、前記第２のアームと前記発光ユニットが相互に平行状態になることを特徴とする請求項１に記載の発光装置の支持機構。
【請求項３】
前記カメラ本体に変位自在に設けられ、前記第１のアームと前記連結部材と前記発光ユニットとを前記収納凹部に収納した状態において前記発光ユニットに係合可能な係止爪と、
前記カメラ本体内に配設され、前記係止爪を変位させるための係止爪駆動部とを備え、
前記カメラ本体を前面側から見たときに、前記第１のアームと前記連結部材と前記係止爪と前記係止爪駆動部とが前記発光部の幅の中に収まることを特徴とする請求項１に記載の発光装置の支持機構。
【請求項４】
前記カメラ本体の前面にレンズ鏡筒を装着するための円形のレンズマウントが形成されるとともに、前記カメラ本体の背面側に、前記レンズマウントの中央部に中心が位置するようにして矩形の撮像素子が配置され、前記収納凹部の内側底面が、前記レンズマウントの上側縁部の下縁と前記撮像素子の撮像領域の上辺との間に位置することを特徴とする請求項１に記載の発光装置の支持機構。
【請求項５】
カメラ本体に、第１支持部において枢支された第１のアームと、
前記第１のアームの端部に、前記第１支持部とは異なる第２支持部において回動自在に連結された連結部材と、
前記連結部材において、前記第２支持部とは異なる第３支持部において回動自在に連結され、発光部を有する発光ユニットとを備え、
前記第１のアームと前記連結部材と前記発光ユニットとを前記カメラ本体の収納凹部に収納した状態において、前記第１のアームと前記連結部材と前記発光ユニットとがカメラ本体の横方向から見てコの字状を呈し、
前記カメラ本体に、前記第１支持部とは異なる第４支持部において枢支された第２のアームを備え、前記第２のアームの端部は前記第３支持部に連結され、
前記第３支持部にバネが設けられ、前記バネの一方の端部が前記発光ユニットに係止するとともに、前記バネの他方の端部が前記第２のアームに係止し、前記発光ユニットと前記第２のアームは、成す角が１８０度に近づく方向に付勢される
ことを特徴とする発光装置の支持機構。
【発明の詳細な説明】
【技術分野】
【０００１】
本発明は、例えばレンズ交換式カメラのカメラ本体に設けられる発光装置に関し、より詳しくは発光装置とカメラ本体を接続する支持機構に関する。
【背景技術】
【０００２】
従来レンズ交換式カメラの発光装置は、不使用時にはカメラ本体内に収納され、使用時にはカメラ本体からポップアップするように構成されている。発光装置のポップアップ高さは、カメラ本体から前方に突出する撮影レンズによって発光装置からの照明光が遮られる、いわゆるケラレが生じることがないよう、できるだけ大きいことが好ましい。カメラ本体に対してポップアップするように連結された発光装置として、例えば特許文献１、２に開示されたものが知られている。
【先行技術文献】
【特許文献】
【０００３】
【特許文献１】特開２０１０−１９１０１７号公報
【特許文献２】特開平８−５４６６９号公報
【発明の概要】
【発明が解決しようとする課題】
【０００４】
特許文献１に開示された発光装置のポップアップ機構によると、コンパクトカメラのように撮影レンズの突出量がそれほど大きくないカメラの場合は問題ないが、撮影レンズの突出量が大きいカメラではポップアップの量が不十分になるという問題が発生する。一方特許文献２に開示された発光装置のポップアップ機構によると、ポップアップの量は十分であるが、カメラ本体への収納が考慮されていない。
【０００５】
本発明は、撮影レンズのカメラ本体からの突出量が大きいレンズ交換式カメラにおいても、ポップアップの高さを十分に大きくすることができ、しかもカメラ本体内にコンパクトに収納することができる発光装置の支持機構を提供することを目的としている。
【課題を解決するための手段】
【０００６】
本発明に係る発光装置の支持機構は、カメラ本体に、第１支持部において枢支された第１のアームと、第１のアームの端部に、第１の支持部とは異なる第２支持部において回動自在に連結された連結部材と、連結部材において、第２支持部とは異なる第３支持部において回動自在に連結され、発光部を有する発光ユニットが取付けられた発光ユニット支持部材とを備え、第１のアームと連結部材と発光ユニット支持部材とをカメラ本体の収納凹部に収納した状態において、第１のアームと発光ユニット支持部材が相互に平行状態になり、発光部が第１支持部に近接することを特徴としている。
【０００７】
発光装置の支持機構は、カメラ本体に、第１支持部とは異なる第４支持部において枢支された第２のアームを備え、第２のアームの端部が第３支持部に連結されることが好ましい。この構成において、さらに、第３支持部にバネが設けられ、バネの一方の端部が発光ユニット支持部材に係止するとともに、バネの他方の端部が第２のアームに係止するように構成されてもよい。この構成では、発光ユニット支持部材と第２のアームは、成す角が１８０度に近づく方向に付勢され、これにより発光装置は自動的にポップアップする。また第１および第２のアームと連結部材と発光ユニットとをカメラ本体の収納凹部に収納した状態において、第２のアームと発光ユニットが相互に平行状態になることが好ましい。
【０００８】
発光装置の支持機構は、カメラ本体に変位自在に設けられ、第１のアームと連結部材と発光ユニット支持部材とを収納凹部に収納した状態において発光ユニット支持部材に係合可能な係止爪と、カメラ本体内に配設され、係止爪を変位させるための係止爪駆動部と、カメラ本体を前面側から見たときに、第１のアームと連結部材と係止爪と係止爪駆動部とが発光部の幅の中に収まるように構成されてもよい。これによれば、発光装置が全体的にコンパクトになる。
【０００９】
また、カメラ本体の前面にレンズ鏡筒を装着するための円形のレンズマウントが形成されるとともに、カメラ本体の背面側に、レンズマウントの中央部に中心が位置するようにして矩形の撮像素子が配置され、収納凹部の内側底面が、レンズマウントの上側縁部の下縁と撮像素子の撮像領域の上辺との間に位置することが好ましい。
【００１０】
また本発明に係る第２の発光装置の支持機構は、カメラ本体に、第１支持部において枢支された第１のアームと、第１のアームの端部に、第１支持部とは異なる第２支持部において回動自在に連結された連結部材と、連結部材において、第２支持部とは異なる第３支持部において回動自在に連結され、発光部を有する発光ユニットとを備え、第１のアームと連結部材と発光ユニットとをカメラ本体の収納凹部に収納した状態において、第１のアームと連結部材と発光ユニットとがカメラ本体の横方向から見てコの字状を呈することを特徴としている。
【発明の効果】
【００１１】
本発明によれば、撮影レンズのカメラ本体からの突出量が大きいカメラにおいても、発光装置のポップアップの高さを十分に大きくすることができ、しかもカメラ本体内にコンパクトに収納することができるという効果が得られる。
【図面の簡単な説明】
【００１２】
【図１】本発明の一実施形態を適用したレンズ交換式カメラのカメラ本体の斜視図である。
【図２】カメラ本体の中の構造の一部を抜き出して示し、発光装置が収納凹部に収納された状態を示す断面図である。
【図３】発光装置が収納凹部に収納された状態にあるカメラ本体を概略的に示す正面図である。
【図４】図２と同じ部分を示し、発光装置がポップアップした状態を示す断面図である。
【図５】発光装置の支持機構を示す斜視図である。
【図６】発光装置の支持機構を示す正面図である。
【図７】発光装置の支持機構を示す側面図である。
【図８】発光装置の収納状態を示し、ポップアップバネが設けられた部分を破断して示す側面図である。
【図９】発光装置の収納状態を示し、ストッパが設けられた部分を破断して示す側面図である。
【図１０】発光装置がポップアップする途中の状態を示し、ポップアップバネが設けられた部分を破断して示す側面図である。
【図１１】発光装置のポップアップする途中の状態を示し、ストッパが設けられた部分を破断して示す側面図である。
【図１２】発光装置のポップアップした状態を示す側面図である。
【発明を実施するための形態】
【００１３】
以下、本発明の一実施形態を図面を参照して説明する。
図１はレンズ交換式カメラの外観を示し、カメラ本体１０からレンズ鏡筒を外した状態を示している。このカメラはいわゆるミラーレスタイプであり、光学ファインダは設けられておらず、被写体像はカメラ本体１０の背面に設けられたモニタに表示される。カメラ本体１０の上面には、撮影モード等を選択するためのモードダイアル１１が設けられ、モードダイアル１１の横には発光装置３０が設けられる。またカメラ本体１０の上面には、発光装置３０をポップアップさせるための発光ボタン３９（図３参照）が設けられる。なお図１において発光装置３０はカメラ本体１０内に収納された状態にある。
【００１４】
カメラ本体１０の前面には、レンズ鏡筒を装着するためのレンズマウント１２が形成される。レンズマウント１２は円形を呈し、カメラ本体１０を正面から見ると光学装置３０の真下に位置する。レンズマウント１２には、カメラ本体１０内の制御システムとレンズ鏡筒内の制御システムとの間においてデータ通信等を行うための接点１３、レンズ鏡筒を取付けるための爪１４等が設けられる。
【００１５】
図２はカメラ本体の中の構造の一部を抜き出して示すものである。レンズマウント１２は暗箱１５の前面に固定される。暗箱１５の上部には、発光装置３０が出没自在に取付けられる収納凹部１６が形成される。カメラ本体の背面側には撮像素子１７が設けられ、撮像素子１７と暗箱１５の間にはシャッタ１８が設けられる。撮像素子１７の前面に設けられる撮像領域１７ａはカバーガラス１９により覆われる。図３に示すように撮像領域１７ａは、カメラ本体を正面から見ると矩形を呈し、撮像素子１７はレンズマウント１２の中央部に受光面１９の中心が位置するようにして配置される。また収納凹部１６の幅はレンズマウント１２の幅よりも小さい。
【００１６】
本実施形態において収納凹部１６はレンズマウント１２の上部に形成され、発光装置３０の上面３１がカメラ本体の上面から突出する量が極力小さくなるよう、できるだけ下方に位置するように考慮されている。すなわちレンズマウント１２の上端１２ａを基準として見た場合に、上端１２ａから収納凹部１６の内側底面２５までの高さは、上端１２ａから発光装置３０の上面３１までの高さよりも大きい。収納凹部１６の内側底面２５は、図２に示すようにレンズマウント１２の上側縁部２１に設けられた係合爪の下縁２１ａと撮像領域１７ａの上辺２２との間に位置し、また収納凹部１６の前端面２３はレンズマウント１２よりもカメラ本体の背面側に位置する。すなわち収納凹部１６および収納状態にある発光装置３０の全てがレンズマウント１２よりも背面側に位置する。
【００１７】
このように収納凹部１６は、下端部２０が撮影レンズからの入射光に干渉しない限度において最下位置に設けられており、これにより発光装置３０の上面３１はカメラ本体１０の上面に設けられた発光装置３０以外の部材（本実施形態ではモードダイアル１１）と略同じ高さにあり、この部材よりも大きく突出することはない。また撮像レンズの設計に応じて、収納凹部１６の下端部２０をさらに下方に定めることができ、下端部２０が撮像領域１７ａの上辺２２にできるだけ近づくように、収納凹部１６の内側底面２５を下方に位置させればよい。
【００１８】
図２から理解されるように、収納状態にある発光装置３０の高さ、すなわち内側底面２５から上面３１までの高さは、暗箱１５の高さよりも小さく、発光装置３０はコンパクトに折り畳まれて収納凹部１６に収納される。
【００１９】
図４は発光装置３０がポップアップした状態を示している。発光装置３０は第１のアーム３２と第２のアーム３３によってカメラ本体に回動自在に支持されており、これらのアーム３２、３３が図２の収納状態から立ち上がることによって発光ユニット３４がポップアップする。ポップアップ状態において、第１のアーム３２は収納凹部１６の底面に対して略垂直であり、第２のアーム３３は第１のアーム３２よりも撮像素子１７側に傾斜しており、発光ユニット３４の発光部３５の前面はレンズマウント１２の面に略平行である。
【００２０】
再び図２を参照すると、収納状態、すなわち第１および第２のアーム３２、３３と連結部材３６と発光ユニット３４を収納凹部１６に収納した状態において、第１および第２のアーム３２、３３と発光ユニット３４は相互に平行であり、発光部３５は、後述するピン４１に近接しており、また第１のアーム３２と発光ユニット３４を連結する連結部材３６は、アーム３２と３３と発光ユニット３４に対して略垂直である。すなわち発光装置３０は収納状態においてカメラ本体の横方向から見てコの字状を呈する。
【００２１】
図５、６、７を参照して発光装置３０のカメラ本体に対する支持機構の構成を説明する。第１のアーム３２は第１支持部であるピン４１によってカメラ本体に枢支される。連結部材３６は第１のアーム３２の先端に、第２支持部であるピン４２によって回動自在に連結される。発光ユニット３４は連結部材３６において、ピン４２とは反対側の端部に位置する第３支持部のピン４３に回動自在に連結される。第２のアーム３３は第１支持部のピン４１とは異なる第４支持部であるピン４４によってカメラ本体に枢支される。第２アーム３３の先端は第３支持部のピン４３に連結される。このように、第１および第２のアーム３２、３３と連結部材３６とピン４１〜４４によってリンク機構が構成される。
【００２２】
発光ユニット３４の側壁５１には円弧状のスリット５２が形成される。第２のアーム３３のピン４３に近接した部位には係合ピン５３が固定され、係合ピン５３は円弧状スリット５２に係合する。発光ユニット３４は係合ピン５３が円弧状スリット５２に係合する範囲内において第２のアーム３３に対して回動自在である。すなわち係合ピン５３は、図２の収納状態では円弧状スリット５２の一方の端部に係止し、図４のポップアップ状態では円弧状スリット５２の他方の端部に係止する。
【００２３】
ピン４３にはコイルバネであるポップアップバネ５４が設けられる。バネ５４の一方の端部は発光ユニット３４に係止し、他方の端部は係合ピン５３すなわち第２のアーム３３に係止する（図８、１０参照）。バネ５４により、発光ユニット３４と第２のアーム３３は、これらの成す角が１８０度に近づく方向に常時付勢される。例えば図２に示す収納状態では、発光ユニット３４と第２のアーム３３の成す角は略０度であり、発光ユニット３４はピン４３を中心として第２のアーム３３から離れる方向に回動する方向に付勢される。また図４に示すポップアップ状態では、発光ユニット３４は第２のアーム３３と成す角がより大きくなる方向に付勢されるが、係合ピン５３が円弧状スリット５２の端部に係止するため、発光ユニット３４と第２のアーム３３の成す角はこれ以上大きくならない。
【００２４】
カメラ本体の上面であって収納凹部１６の側方には、係止爪６１が設けられる。係止爪６１はカメラ本体１０の前後方向、すなわち第１および第２のアーム３２、３３が回動する面に平行な面に沿って変位自在であり、第１および第２のアーム３２、３３と連結部材３６と発光ユニット３４とを収納凹部１６に収納した状態（図２に示す収納状態）において発光ユニット３４に係合可能である。発光ユニット３４の下面には、係止爪６１が係合するための溝６２が形成される。
【００２５】
カメラ本体１０内には係止爪６１を変位させるための係止爪駆動部６３が配設される。係止爪駆動部６３は電磁石６４と可動部材６５と係止バネ６６とを有する。係止爪６１は、図示しない支点の周りに回動自在であり、可動部材６５は支点を挟んで係止爪６１とは反対側の揺動部に連結される。係止爪６１は係止バネ６６によってカメラ本体１０の前方（図７の右方）に付勢される。可動部材６５は電磁石６４が通電されたとき、図７の右方に突出し、この突出動作に連動して係止バネ６６の付勢力により係止爪６１が図７の左方に後退する。すなわち図２に示す収納状態では、係止爪６１は溝６２に係合し、これにより発光ユニット３４は収納状態に保持されるが、発光ボタン３９が押されて電磁石６４が通電されると、係止爪６１が後退して溝６２を解放し、発光ユニット３４がポップアップする。
【００２６】
図６から理解されるように、カメラ本体を前面側から見たときに、第１のアーム３２と連結部材３６と係止爪駆動部６３とが発光部３５の幅の中に収まるように構成されている。第１のアーム３２と連結部材３６の中はそれぞれ、発光ユニット３４と図示しない電子回路を電気的に接続するリード線が収納されており、第１のアーム３２と連結部材３６のピン４１の軸方向に沿う長さは発光部３５の幅よりも小さく、第１のアーム３２と第２のアーム３３との間に形成されるスペースに、係止爪駆動部６３と係止爪６１が配置されている。
【００２７】
図８〜１１を参照して、本実施形態において採用されているポップアップ機構の構成と作用を説明する。
連結部材３６を貫通して延びる第３支持部のピン４３には、上述したようにポップアップバネ５４が設けられる。また連結部材３６には、円板の一部を径方向の外側に膨出させて形成されたストッパ７１が形成される。ストッパ７１は発光ユニット３４に形成された当接面７２に当接可能である。一方第２のアーム３３は、ピン４４の近傍において第３支持部のピン４３とは反対方向に延びる突起７３を有する。この突起７３はカメラ本体に固定されたストッパピン７４に係合可能である。
【００２８】
発光装置の収納状態では、図８、９に示すように、発光ユニット３４と第２のアーム３３の成す角は略０度である。また発光ユニット３４は連結部材３６に対して略垂直であり、ストッパ７１は当接面７２から離間している。この状態において係止爪６１が後退して発光ユニット３４を解放すると、バネ５４の付勢力により、発光ユニット３４は連結部材３６に対して回動するように作用し、図１０、１１に示すように発光ユニット３４は連結部材３６に対して起き上がる。発光ユニット３４の当接面７２にストッパ７１が当接すると、発光ユニット３４は連結部材３６に対して回動しなくなり、発光ユニット３４と第２のアーム３３はバネ５４の付勢力により、これらの成す角が大きくなるように変化する。すなわち、図１２に示すように第２のアーム３３がピン４４を中心に回動して起き上がり、突起７３がストッパピン７４に係合した位置において静止する。
【００２９】
以上のように本実施形態の発光装置３０の支持機構は、第１のアーム３２に連結部材３６を介して発光ユニット３４を連結したので、発光ユニット３４のポップアップ高さが十分に大きくなり、したがって、カメラ本体１０に装着された撮影レンズの突出量が大きくてもケラレが発生することが防止される。
【００３０】
また、発光ユニット３４が収納状態にあるとき、発光装置３０は全体的にコの字状になるように折り畳まれるので、収納凹部１６内にコンパクトに収納される。さらに、収納凹部１６の内側底面２５はレンズマウント１２の上側縁部２１と撮像素子１７の受光面１９の上辺２２との間に位置し、また収納凹部１６の前端面２３がレンズマウント１２よりもカメラ本体の背面側に位置している。したがって、収納凹部１６を極力下方に配置することができ、発光装置３０の上面３１のカメラ本体１０の上面からの突出量を小さく抑えることができる。
【００３１】
なお、上記実施形態では、ポップアップバネ５４はピン４３のみに設けられていたが、これに代えて、バネを、ピン４１、４２に設けるとともに、発光ユニット３４と連結部材３６の間に設けてもよく、このような構成によると第２のアーム３３を省略することができる。
【００３２】
なお発光ユニット３４は電磁石６４を設けるのではなく、発光ボタン３９を押すと機械的に係止爪６１が外れるように構成されてもよい。
【符号の説明】
【００３３】
１０  カメラ本体
１６  収納凹部
３２  第１のアーム
３４  発光ユニット
３６  連結部材
４１  ピン（第１支持部）
４２  ピン（第２支持部）
４３  ピン（第３支持部）
４４  ピン（第４支持部）
【図１】
0005953761.tif 000002
【図２】
0005953761.tif 000003
【図３】
0005953761.tif 000004
【図４】
0005953761.tif 000005
【図５】
0005953761.tif 000006
【図６】
0005953761.tif 000007
【図７】
0005953761.tif 000008
【図８】
0005953761.tif 000009
【図９】
0005953761.tif 000010
【図１０】
0005953761.tif 000011
【図１１】
0005953761.tif 000012
【図１２】
0005953761.tif 000013